(57)【特許請求の範囲】
【請求項１】
略垂直な壁面に凹設された収納部と、収納部を開閉する扉と、扉にキーボードを保持する保持棒とからなり、保持棒がキーボードに既設の横断溝に嵌合する押え部と、キーボードの左右両側で扉に掛止される掛止部とを備えたことを特徴とする開閉式収納装置。
【請求項２】
前記押え部がキーボード上のＦキー列と文字キー領域との間の横断溝に嵌合することを特徴とする請求項１記載の開閉式収納装置。
【発明の詳細な説明】
【技術分野】
【０００１】
本発明は、収納部を開閉する扉にキーボードを保持する機能を与えた開閉式収納装置に関する。
【背景技術】
【０００２】
従来、収納部を開閉する扉上で入力機器を操作できるラックが知られている。例えば、特許文献１には、図５に示すように、キーボードやマウス等の機器をラック上で操作できるように、ラック２１の垂直面に凹設した収納部２２に開閉式の扉２３を設けた装置が記載されている。この収納装置は、開放状態の扉２３をテーブルとして使用し、その上面にラック２１内部から取り出したキーボード２４やマウス２５等の機器を載せて操作することができる。
【０００３】
ところが、この収納装置では、扉２３を開放してからキーボード２４を取り出し、扉２３を閉じる前にキーボード２４を収納しなくてはならないため、キーボード２４の出し入れに手間がかかる。そこで、従来、キーボードをクリップで扉に挟み込んで保持する技術が提案されている。また、特許文献２には、キーボードをネジで扉に固定する装置が記載されている。
【特許文献１】特開2000-135133号公報
【特許文献２】特開2001-223488号公報
【発明の開示】
【発明が解決しようとする課題】
【０００４】
しかし、クリップによる保持方法では、扉開閉時の衝撃によってキーボードが脱落する可能性があり、キーボードの種類によってはクリップを使用できないこともある。ネジで固定する装置では、キーボードにネジ孔を加工する必要があり、また、異なるサイズのキーボードを固定できないという問題点もあった。
【０００５】
本発明の目的は、上記課題を解決し、収納部を開閉する扉に多種類のキーボードをしっかりと保持できる開閉式収納装置を提供することにある。
【課題を解決するための手段】
【０００６】
上記課題を解決するために、本発明の開閉式収納装置は、略垂直な壁面に凹設された収納部と、収納部を開閉する扉と、扉にキーボードを保持する保持棒とからなり、保持棒がキーボードに既設の横断溝に嵌合する押え部と、キーボードの左右両側で扉に掛止される掛止部とを備えたことを特徴とする。
【０００７】
また、本発明の開閉式収納装置は、押え部がキーボード上のファンクションキー（Ｆキー）列と文字キー領域との間の横断溝に嵌合することを特徴とする。
【発明の効果】
【０００８】
本発明の開閉式収納装置によれば、保持棒の押え部をキーボードの横断溝に嵌合し、掛止部を扉に掛止することで、キーボードを扉にしっかりと保持できる。横断溝は多くのキーボードに既設の形状部であるから、キーボードに何らの加工を加えることなく、一つの保持棒を多種類のキーボードに汎用できる。押え部は横断溝に嵌合しているので、入力作業の妨げとならず、開放状態の扉の上面を広く使用できる。また、扉を閉じ、同時にキーボードを収納し、扉を開き、即座にキーボードを操作できて、開閉式収納装置の機能性が向上するという効果もある。
【発明を実施するための最良の形態】
【０００９】
以下、本発明の実施形態を図面に基づいて説明する。図１は開閉式収納装置１を装備したキャビネットラック１００を示す。図２は開閉式収納装置１を扉４の閉鎖状態で示す。図３は開閉式収納装置１を扉４の開放状態で示す。図４は扉４の一部を取り外して保持棒７の取付構造を示す。
【００１０】
図１に示すように、この収納装置１はキャビネットラック１００の前扉１０２に装備されている。前扉１０２はラック本体１０１の前面に開閉可能に設けられ、前扉１０２の垂直な壁面１１に、収納装置１の収納部３が凹設されている。収納部３より上側の前扉１０２には、ラック本体１０１内の上部に収納されたモニター（図示略）を透視する窓１０３が設けられている。ラック本体１０１の内部において、モニターより下側には各種の情報機器を収納する収納室が形成されている。
【００１１】
なお、開閉式収納装置１の設置形態は、特に限定はされず、図１に示すキャビネットラック１００のほかに、例えば、パソコンラックや住宅の壁面など、垂直な壁面を備えた各種の機器または構造物に設置可能である。
【００１２】
図２、図３に示すように、収納部３は前面が開いたボックス形に形成され、収納部３の前面開口部が扉４で開閉可能に覆われている。扉４は、扁平な薄箱形に形成され、収納部３の下端に蝶番６で回動自在に取り付けられている。収納部３と扉４との間には、開放状態の扉４を水平に保持するストッパー１０が架設されている。扉４の前面上部には開閉操作用のハンドル１２が設けられ、収納部３の上部に閉鎖位置の扉４を吸着する磁石１３が設けられている。
【００１３】
扉４の開放状態では、その上面にキーボード１４が載置され、保持棒７により固定的に保持される。保持棒７は、図４に示すように、金属または樹脂からなる一本の棒状弾性材料を横長Ｃ字型に折り曲げて形成されている。保持棒７を金属材料で形成する場合は、キーボード１４に傷が付かないように、保持棒７の全表面を柔軟材料で被覆するのが好ましい。
【００１４】
保持棒７は、キーボード１４に既設の横断溝１５に嵌合する直線状の押え部８と、キーボード１４の左右両側で扉４に掛止される掛止部９とを備えている。横断溝１５は、キーボード１４の文字キー領域１６とＦキー列１７との間を左右に延びる既設の形状部であって、多くのキーボード１４に比較的広い溝幅で形成されている。このため、太目の保持棒７を用い、押え部８によりキーボード１４を扉４に強固に保持することができる。
【００１５】
掛止部９は押え部８の両端にＬ字形に折り曲げられ、掛止部９の先端が扉４の係止孔１８に嵌入される。係止孔１８はリブ金具１９に設けられ、リブ金具１９近傍の扉４に掛止部９を通す長孔２０が形成されている。そして、保持棒７は、押え部８を横断溝１５に嵌合し、掛止部９を長孔２０に通して係止孔１８に掛止することで、キーボード１４を扉４にしっかりと保持できるように構成されている。
【００１６】
なお、係止孔１８は、異なる厚さのキーボード１４に対応できるように、リブ金具１９に二段に設けられている。また、長孔２０近傍の扉４には、係止孔１８の位置を扉４の上方から確認するための切欠２７が形成されている。
【００１７】
上記構成の開閉式収納装置１によれば、次のような作用効果が得られる。
（ア）  図１に示すように、扉４の開放状態において、保持棒７の押え部８がキーボード１４の横断溝１５に嵌合しているので、保持棒７が入力作業の妨げとならず、扉４の上面を広く使用できる。
（イ）図２に示すように、扉４の閉鎖状態では、キーボード１４が保持棒７により扉４の裏面に接合する状態で垂直に保持される。このとき、キーボード１４が僅かに下がるが、押え部８が文字キー領域１６の上段キーに当接し、キーボード１４の脱落、転倒を防止する。従って、ラック前扉１０２の開閉時であっても、キーボード１４を収納部１３内に静止させておくことができる。
【００１８】
（ウ）図３に示すように、キーボード１４での入力作業に際しては、扉４を開放すると同時にキーボード１４が使用可能な状態となるので、キーボード１４を収納部３から取り出す手間を省き、入力作業を即座に開始できる。また、保持棒７は、一度セットすれば、キーボード１４を変更するとき以外は、取り外す必要がないので、作業開始または終了時に何らの操作が不要である。
（エ）特に、保持棒７は、キーボード１４に既設の横断溝１５を利用しているので、何らの加工を加えることなく、多種類のキーボード１４に汎用でき、もって、キャビネットラック１００の機能性を高めることができる。
【図面の簡単な説明】
【００１９】
【図１】本発明の一実施形態を示すキャビネットラックの斜視図である。
【図２】ラックの開閉式収納装置を扉の閉鎖状態で示す側面図である。
【図３】開閉式収納装置を扉の開放状態で示す側面図である。
【図４】開閉式収納装置の保持棒取付構造を示す斜視図である。
【図５】従来の開閉式収納装置を示す斜視図である。
【符号の説明】
【００２０】
１    開閉式収納装置
３    収納部
４    扉
７    保持棒
８    押え部
９    掛止部
１１    壁面
１４    キーボード
１５    横断溝
１６    文字キー領域
１７    Ｆキー列
１００    キャビネットラック
１０２    前扉
【図１】
0004963298.tif 000002
【図２】
0004963298.tif 000003
【図３】
0004963298.tif 000004
【図４】
0004963298.tif 000005
【図５】
0004963298.tif 000006